(57)【要約】【課題】異なる大きさのカップを使用するよう設計され且つコンパクトで製造が安価及び容易な上述の種類の飲料自動販売機を提供する。【解決手段】飲料自動販売機（１）は、飲料生成ユニット（１８）と、カップ（１０ａ，１０ｂ）を収容する貯蔵庫（１１ａ，１１ｂ）と、外部からアクセス可能であり且つ少なくとも２つの計量分配ステーション（１５ａ，１５ｂ）を有する取出し区画（５）と、各カップホルダがそれぞれの計量分配ステーション（１５ａ，１５ｂ）でカップ（１０ａ，１０ｂ）を支持するためにある少なくとも２つのカップホルダ（９ａ，９ｂ）と、飲料計量分配装置（１６）とを有し、飲料計量分配装置は、飲料生成ユニット（１８）の出口を定め、計量分配ステーション（１５ａ，１５ｂ）と選択的に係合するよう操作される。【選択図】図１
2013025813.tif 000002
【特許請求の範囲】
【請求項１】
飲料生成ユニットと、
多数のカップを貯蔵するための貯蔵手段と、
外部からアクセス可能な取出し区画と、
前記貯蔵手段からカップを受け取るための支持手段と、
飲料計量分配装置とを含み、
該飲料計量分配装置は、前記生成ユニットの出口を定め、前記取出し区画の内側のカップ内に飲料を送り込むよう前記支持手段の上に配置される、
飲料自動販売機であって、
前記取出し区画は、少なくとも２つの固定的な計量分配ステーションを有し、前記支持手段は、各計量分配ステーションのために、前記計量分配ステーションでカップを支持するためのそれぞれのカップホルダを含み、前記飲料計量分配装置は、前記計量分配ステーションを選択的に係合するよう操作される、
飲料自動販売機。
【請求項２】
前記カップホルダは、それぞれの異なる大きさのカップを支持するよう設計され、前記貯蔵手段は、異なる大きさのカップを収容するよう設計され、且つ、使用者によって選択される飲料に依存して、所与の大きさのカップを前記それぞれのカップホルダに送るよう制御される、請求項１に記載の飲料自動販売機。
【請求項３】
前記取出し区画は、各計量分配ステーションに貫通開口を備える頂壁を有し、各開口は、前記取出し区画を当該飲料自動販売機の内側に接続し、且つ、カップが前記それぞれのカップホルダ内に送り込まれることを可能にする、請求項１又は２に記載の飲料自動販売機。
【請求項４】
前記飲料計量分配装置は、前記頂壁の上に配置され、多数の計量分配位置と、通常休止位置との間で移動可能であり、前記多数の計量分配位置の各々において、前記飲料計量分配装置は、前記計量分配ステーションのうちの１つに配置され、且つ、前記それぞれの開口に面して位置付けられ、前記通常休止位置において、前記飲料計量分配装置は、前記開口を通じて送られる前記カップと干渉しないよう、前記開口を避けて位置付けられる、請求項３に記載の飲料自動販売機。
【請求項５】
前記飲料計量分配装置は、前記通常休止位置において外部からアクセス不能である、請求項４に記載の飲料自動販売機。
【請求項６】
前記飲料計量分配装置から滴下を収集するための収集手段を含み、前記飲料計量分配装置は、前記通常休止位置において前記収集手段に面する、請求項４又は５に記載の飲料自動販売機。
【請求項７】
前記飲料計量分配装置は、前記生成ユニットのそれぞれの出口に流体的に接続される多数のノズルを含み、該多数のノズルは、固定の実質的に垂直な軸について揺動するよう取り付けられる共通の支持体に固定される、請求項１乃至６のうちのいずれか１項に記載の飲料自動販売機。
【請求項８】
前記飲料計量分配装置を操作するための作動手段を含み、該作動手段は、使用者によって選択される飲料の種類に依存して、前記計量分配ステーションの一方又は他方への前記飲料計量分配装置の移動を制御するよう制御される、請求項１乃至７のうちのいずれか１項に記載の飲料自動販売機。
【発明の詳細な説明】
【技術分野】
【０００１】
本発明は飲料自動販売機に関する。
【０００２】
より具体的には、本発明は、飲料生成ユニットと、カップ貯蔵庫と、外部からアクセス可能な取出し区画と、取出し区画内に配置され且つ貯蔵庫からのカップを受け取るための支持手段と、飲料生成ユニットの出口を定め且つ取出し区画内のカップ内に飲料を送り込むよう支持手段の上に配置される飲料計量分配装置とを含む種類の飲料自動販売機に関する。
【背景技術】
【０００３】
上述の種類の自動販売機は、多数の異なる飲料を生成し、それらの飲料は、エスプレッソコーヒー、及び、例えば、チョコレート、ティー及びブロスのような、様々な種類の「可溶」飲料を含むのが普通である。
【０００４】
生成される様々な飲料の故に、選択される飲料に依存して、異なる種類及び大きさのカップ、即ち、エスプレッソコーヒーのためには小さいカップを使用し、他の飲料のためにはより大きなカップを使用する必要が生じている。
【０００５】
従って、上述の種類の自動販売機は既知であり、カップ貯蔵庫は、それぞれの種類のカップのために、２つ又はそれよりも多くの貯蔵庫を含み、支持手段は、２つ又はそれよりも多くのカップホルダを含み、各カップホルダは、それぞれの貯蔵庫からそれぞれの種類のカップを受け取り、カップホルダは、それぞれのカップ受取ステーションと、固定の計量分配装置を備える共用の計量分配ステーションとの間を移動するよう操作される。
【０００６】
計量分配ステーションは、使用者取出しステーションとしても機能するのが普通であり、それは計量分配装置が外部から容易にアクセス可能であり、従って、破壊行為に晒されることを意味するので、計量分配装置は、計量分配装置を遮蔽する防護位置を往復移動するよう操作される防護材によって保護されるか、或いは、計量分配ステーションと外部からアクセス不能な休止位置との間を移動するよう取り付けられるのが普通である。
【０００７】
異なる大きさのカップを使用するという課題を効果的に解決するが、上述の解決策に含まれる移動部分の大きさ及び数は、特にコンパクトな自動販売機を必要とする場合には、その解決策を不適にする。
【発明の概要】
【発明が解決しようとする課題】
【０００８】
異なる大きさのカップを使用するよう設計され且つコンパクトで製造が安価及び容易な上述の種類の飲料自動販売機を提供することが本発明の目的である。
【課題を解決するための手段】
【０００９】
本発明によれば、請求項１において請求されるような、好ましくは、請求項１に直接的又は間接的に従属する請求項のうちのいずれか１項において請求されるような飲料自動販売機が提供される。
【００１０】
添付の図面を参照して本発明の非限定的な実施態様を一例として記載する。
【図面の簡単な説明】
【００１１】
【図１】本発明に従った自動販売機の好適実施態様を示す斜視図であり、明瞭性のために一部が取り除かれている。
【図２】図１における詳細に示す拡大正面図であり、明瞭性のために一部が取り除かれている。
【図３】図２における詳細を示す拡大平面図であり、明瞭性のために一部が取り除かれている。
【発明を実施するための形態】
【００１２】
図１中の番号１は、飲料自動販売機を全体的に示しており、飲料自動販売機は、ドア３によって正面で閉じられるキャビネット２を含み、ドア３は、飲料選択パネル４と、外部からアクセス可能な取出し区画５とを有し、使用者は、選択的な飲料のカップを取出し区画５から取り出す。
【００１３】
取出し区画５は、２つの孔６ａ，６ｂを通じてキャビネット２の内側と連絡し、２つの孔６ａ，６ｂは、取出し区画５の頂壁７に形成され、且つ、実質的に垂直な軸８をそれぞれ有する。
【００１４】
図２により詳細に示されるように、孔６ａ，６ｂは、それぞれの軸８と同軸なそれぞれの環状体９ａ，９ｂによって軸方向に係合され、異なる内径を有し、異なる大きさのそれぞれのカップ１０ａ，１０ｂのための２つの既知のカップホルダを定める（図示の実施例では、より大きいカップが１０ａで示されている）。
【００１５】
より具体的には、取出し区画５の内側の直立位置に堅固に懸架されるカップ１０ａ，１０ｂを支持し、使用者がカップを環状体９ａ，９ｂから下向きに抜き取ることによるカップ１０ａ，１０ｂの容易な取外しを可能にするために、各環状体９ａ，９ｂは、それぞれの下向きに送られるカップ１０ａ，１０ｂを受け入れる（受け取る）よう設計される。
【００１６】
図２に示されるように、カップ１０ａ，１０ｂは、それぞれの既知の貯蔵庫１１ａ，１１ｂから、それぞれの環状体９ａ，９ｂに送られる。それぞれの貯蔵庫は、取出し区画５の上でキャビネット２の内側に取り付けられ、それぞれのホッパ１２ａ，１２ｂを含み、各ホッパは、それぞれのカップ１０ａ，１０ｂの多数の積重ねを収容する。それぞれの貯蔵庫は、それぞれの解放装置１３ａ，１３ｂを含み、各解放装置は、カップ１０ａ，１０ｂのそれぞれの積重ねの底部から一度に１つのカップを取り出すためにある。
【００１７】
孔６ａ，６ｂに面する側で、各解放装置１３ａ，１３ｂは、シュート１４ａ，１４ｂを有し、シュートの出口は、それぞれの軸８と同軸であり、且つ、それぞれの解放装置１３ａ，１３ｂによって解放されるカップ１０ａ，１０ｂが孔６ａ，６ｂを通じてそれぞれの環状体９ａ，９ｂ内に落下するよう、それぞれの孔６ａ，６ｂの上にそれぞれの孔６ａ，６ｂから所与距離に配置される。
【００１８】
上記に関連して、取出し区画５の内側でカップ１０ａ，１０ｂを受け取り且つ支持するために、環状体９ａ，９ｂを、既知の固定フォーク形状のカップホルダや、それぞれの孔６ａ，６ｂの下でカップ１０ａ，１０ｂを支持する上昇位置と下降使用者取出し位置との間を移動可能な可動支持部材のような、他の支持部材と置換し得ることが指摘されなければならない。
【００１９】
従って、孔６ａ，６ｂは、カップ１０ａ，１０ｂが取出し区画５内でどのように支持されるかに拘わらず、取出し区画５の内側に、それぞれの固定計量分配ステーション１５ａ，１５ｂを定め、それぞれの固定計量分配ステーションは、計量分配装置１６の直ぐ下に配置され、選択される飲料の種類、従って、使用されるカップ１０ａ，１０ｂの種類に依存して、計量分配装置１６によって選択的に係合可能である。
【００２０】
図１に示されるように、計量分配装置１６は、多数のノズル１７を含み、多数のノズルは、キャビネット２の内側に収容される生成ユニット１８の端部分を形成し、使用者が選択する飲料の液体成分をノズルを通じて計量分配するためにある。
【００２１】
図示の実施例において、生成ユニット１８は、キャビネット２の後壁に適合させられ、コーヒーを生成するための既知の調合組立体１９と、チョコレート、ティー、及び、ミルクのような、可溶粉末成分から飲料を生成するための組立体２０とを含む。組立体２０は、既知の方法において、可溶成分のための多数のホッパ２１と、多数の既知のミキサ（図示せず）とを含み、可溶成分はミキサ内で水に溶解されて、それぞれの飲料を生成する。調合組立体１９及びミキサ（図示せず）は、それぞれのホース２２によって計量分配装置１６に接続され、各ホースは、調合組立体１９の出口又はそれぞれのミキサから、それぞれのノズル１７の入口取付け部品に延びる。
【００２２】
明らかに、添付の図面を参照して記載される生成ユニット１８の構成部品の構成及び数は純粋に表示的であり、機械１の仕様及び使用意図に依存して異なり得る。
【００２３】
ノズル１７は、取出し区画５の頂壁７とシュート１４ａ，１４ｂとの間の中間位置に配置されるプレート２３によって定められる支持体に適合され、プレート２３は、アーム２４によって、キャビネット２と一体的なブラケット２５に蝶番付けされて、実質的に垂直な軸２６について揺動し、実質的に水平な平面内で、ノズル１７が孔６ａ，６ｂの一方又は他方に面し且つそれぞれの計量分配ステーション１５ａ，１５ｂと係合する２つの計量分配位置と、２つの計量分配位置の間の通常の中間休止位置との間でノズル１７を移動する。
【００２４】
より具体的には、図３により詳細に示されるように、休止位置にあるプレート２３は、それぞれの環状体９ａ，９ｂ内に送り込まれるカップ１０ａ又は１０ｂと干渉しないよう、孔６ａと孔６ｂとの間の頂壁７の一部２７に面する。
【００２５】
頂壁７の部分２７は、休止位置においてノズルを外部からアクセス不能、従って、破壊防止にすることによって、遮蔽ノズル１７も提供する。
【００２６】
計量分配段階の終わりに、ノズル１７からの如何なる滴下（ドリップ）をも捕捉し、且つ、集められる液体を、好ましくはドレイン管（図示せず）を用いて、キャビネット２の内側の取り外し可能な容器（図示せず）内に送り込むために、トレイ２８は、部分２７上に形成され、或いは、部分２７に適合されるのが好ましい。
【００２７】
プレート２３を支持するアーム２４は、可逆電気アクチュエータ２９によって回転され、可逆電気アクチュエータは、ブラケット２５に適合され、ノズル１７の計量分配位置及び休止位置を信号で知らせるために、マイクロスイッチのようなリミットストップ検出装置（図示せず）に電気的に接続される。
【００２８】
図３に示されるように、飲料自動販売機１が運転休止中のとき、アーム２４を軸２６について完全退避(full-back)位置に手動で回転し、保守及び洗浄のために場所を空ける。
【００２９】
実際の使用中、電気アクチュエータによる計量分配装置１６の回転は、電気アクチュエータ２９と、選択パネル４と、生成ユニット１８と、解放装置１３ａ，１３ｂとに接続される電子中央制御装置（図示せず）によって制御される。
【００３０】
使用者によって選択される飲料に依存して、中央制御装置は、カップ１０ａ又は１０ｂの解放を命令し、カップがそれぞれの環状体９ａ，９ｂ内に位置付けられるや否や、電気アクチュエータ２９が軸２６についてアーム２４を回転し、ノズル１７を、休止位置から、カップ１０ａ，１０ｂによって係合される計量分配ステーション１５ａ，１５ｂと対応する計量分配位置に移動するよう命令する。
【００３１】
計量分配段階が完了するや否や、電気アクチュエータ２９は、アーム２４を反対方向に回転するよう操作され、ノズル１７を休止及び滴下位置に戻す。
【００３２】
上記に関連して、２つ又はそれよりも多くの種類のカップ及び計量分配ステーションを備える飲料自動販売機においても計量分配装置１６を使用し得ることが指摘されなければならない。
【００３３】
実際、軸２６と同軸な円の弧に沿って整列される２つ又はそれよりも多くの計量分配ステーションの場合（図示せず）には、ノズル１７を任意の計量分配ステーション内に選択的に移動するよう、上述したアーム２４の角移動を単に変更すれば十分である。軸２６と同軸な円の弧とは対照的に、例えば、１つ又はそれよりも多くの列内に整列される２つ又はそれよりも多くの計量分配ステーションの場合（図示せず）には、計量分配装置１６は、例えば、伸縮アームを用いて、ノズル１７が軸２６についてのみならず、軸２６に対して横方向にも移動することを可能にするよう変更される。
【符号の説明】
【００３４】
１              飲料自動販売機(beverage vending machine)
２              キャビネット(cabinet)
３              ドア (door)
４              選択パネル(selection panel)
５              取出し区画(take-out compartment)
６ａ，６ｂ      孔 (hole)
７              頂壁 (top wall)
８              軸 (axis)
９ａ，９ｂ      環状体(annular body)／カップホルダ (cup holder)
１０ａ，１０ｂ  カップ (cup)
１１ａ，１１ｂ  貯蔵庫(store)
１３ａ，１３ｂ  解放装置(release device)
１４ａ，１４ｂ  シュート(chute)
１５ａ，１５ｂ  計量分配ステーション (dispensing station)
１６            飲料計量分配装置(beverage dispensing device)
１７            ノズル(nozzles)
１８            飲料生成ユニット(beverage production unit)
１９            調合組立体(brewing assembly)
２０            組立体(assembly)
２１            ホッパ(hoppers)
２２            ホース(hose)
２３            プレート(plate)
２４            アーム (arm)
２５            ブラケット(bracket)
２６            軸 (axis)
２７            部分(portion)
２８            トレイ (tray)
２９            電気アクチュエータ(electric actuator)
【図１】
2013025813.tif 000003
【図２】
2013025813.tif 000004
【図３】
2013025813.tif 000005
【外国語明細書】
2013025813000001.pdf
2013025813000002.pdf
2013025813000003.pdf
2013025813000004.pdf